(57)【要約】【課題】落射明視野観察で左右の観察光学系の観察像が同じ明るさで見える実体顕微鏡を提供すること。【解決手段】標本の観察像がそれぞれ導かれる２つの観察光学系と、標本に照射する光源からの照明光が導かれる１つの照明光学系と、２つの観察光学系のそれぞれの光軸上に配置され、照明光を照明光学系から２つの観察光学系のそれぞれに導く光路分割手段と、観察光学系の少なくとも一方の光軸上に配置され、照明光の標本からの反射光を調節するための光学素子とを備えたことを特徴とする実体顕微鏡。【選択図】図１
2011007871.tif 000002
【特許請求の範囲】
【請求項１】
標本の観察像がそれぞれ導かれる２つの観察光学系と、
前記標本に照射する光源からの照明光が導かれる１つの照明光学系と、
前記２つの観察光学系のそれぞれの光軸上に配置され、前記照明光を前記照明光学系から前記２つの観察光学系を介して前記標本にそれぞれ導く光路分割手段と、
前記観察光学系の少なくとも一方の光軸上に配置され、前記照明光の前記標本からの反射光を調節するための光学素子とを備えたことを特徴とする実体顕微鏡。
【請求項２】
前記照明光学系の光軸は前記２つの観察光学系の光軸を含む平面と同一の平面内にあり、前記光源から出射された照明光は一方の観察光学系に分割された後、さらに他方の観察光学系に分割されることを特徴とする請求項１に記載の実体顕微鏡。
【請求項３】
前記光路分割手段は、それぞれ同じ光透過率を有することを特徴とする請求項１または２に記載の実体顕微鏡。
【請求項４】
前記光路分割手段は、前記２つの観察光学系のそれぞれに導かれる前記照明光の光量が同じになるように、それぞれ異なる光透過率を有することを特徴とする請求項１または２に記載の実体顕微鏡。
【請求項５】
前記光学素子は、前記２つの観察光学系のそれぞれに導かれる前記観察像を同じ明るさに調節する光透過率を有することを特徴とする請求項１から４の何れか一項に記載の実体顕微鏡。
【請求項６】
前記光学素子の光透過率は変更可能であることを特徴とする請求項５に記載の実体顕微鏡。
【請求項７】
前記光路分割手段および前記光学素子はユニットになっており、前記観察光学系に挿脱可能であることを特徴とする請求項１から６の何れか一項に記載の実体顕微鏡。
【請求項８】
前記ユニットは前記光源側に励起フィルタを備え、前記光学素子は前記標本からの反射光の所定の波長を選択するフィルタであることを特徴とする請求項７に記載の実体顕微鏡。
【発明の詳細な説明】
【技術分野】
【０００１】
本発明は実体顕微鏡に関する。
【背景技術】
【０００２】
従来、実体顕微鏡において落射明視野観察を行う場合、１つの光源の光を２分岐ファイバライトガイドを用いて２つの観察光学系に照明光を入射する実体顕微鏡がある（例えば、特許文献１）。
【先行技術文献】
【特許文献】
【０００３】
【特許文献１】特開２００７−２６４０７５号公報
【発明の概要】
【発明が解決しようとする課題】
【０００４】
しかし、１つの光源の照明光をファイバライトガイドで分岐すると、分岐されたそれぞれの照明光について照明光学系が必要となり部品点数が増え、装置が大型化するとともにコストがアップしてしまう。また、照明光学系が２つあるので、それぞれの観察光学系の明るさを一致させて左右の観察像を同じ明るさにし、左右の観察像が同じように見えるようにバランスをとることは難しかった。
【０００５】
本発明はこのような問題に鑑みてなされたものであり、１つの照明光学系を用いた落射明視野観察で左右の観察光学系の観察像が同じ明るさで見える実体顕微鏡を提供することを課題とする。
【課題を解決するための手段】
【０００６】
上記課題を解決するため、本発明に係る実体顕微鏡は、標本の観察像がそれぞれ導かれる２つの観察光学系と、前記標本に照射する光源からの照明光が導かれる１つの照明光学系と、前記２つの観察光学系のそれぞれの光軸上に配置され、前記照明光を前記照明光学系から前記２つの観察光学系を介して前記標本にそれぞれ導く光路分割手段と、前記観察光学系の少なくとも一方の光軸上に配置され、前記照明光の前記標本からの反射光を調節するための光学素子とを備えたことを特徴とする。
【発明の効果】
【０００７】
本発明によれば、１つの照明光学系を用いた落射明視野観察で左右の観察光学系の観察像が同じ明るさで見える実体顕微鏡を提供することができる。
【図面の簡単な説明】
【０００８】
【図１】第１実施形態に係る実体顕微鏡の全体の構成を示す模式図である。
【図２】第２実施形態に係る実体顕微鏡の全体の構成を示す模式図である。
【図３】第２実施形態に係る顕微鏡において、蛍光観察用のキューブに切替えた状態の光学系の構成を示す模式図である。
【発明を実施するための形態】
【０００９】
以下、本発明の実施形態について図面を参照しつつ説明する。なお、各実施形態において、標本は光の散乱が少ない鏡面サンプルを観察することを前提としている。
【００１０】
（第１実施形態）
図１は、第１実施形態に係る実体顕微鏡の全体の構成を示す模式図である。
【００１１】
図１に示すように、第１実施形態に係る実体顕微鏡１（以下、顕微鏡１と略記する。）は、標本４を載置するステージ７と、標本４の方から順に対物レンズ１０、ズーム鏡体１３、光路分割装置１６、双眼鏡筒１９を備えている。ズーム鏡体１３には２つのアフォーカルズーム系３１Ｌ、３１Ｒが備えられている。光路分割装置１６は光学部材を備えたキューブであり、公知の回転ターレット（図示省略）に支持されている。光路分割装置１６については後で詳細に説明する。光路分割装置１６には光源装置（図示省略）からファイバライトガイド２２で導かれた照明光が照明光学系２５を介して導かれている。
【００１２】
図１に示すように、顕微鏡１は左右の観察光学系２８Ｌ、２８Ｒを備えている。左の観察光学系２８Ｌは標本４側から順に左右共通の対物レンズ１０と、ズーム鏡体１３に備えられたアフォーカルズーム系３１Ｌと、双眼鏡筒１９に備えられた結像レンズ３４Ｌおよび接眼レンズ３７Ｌとを備えている。アフォーカルズーム系３１Ｌには開口絞り４０Ｌが含まれている。右の観察光学系２８Ｒも左の観察光学系２８Ｌと同様の構成となっており、左右共通の対物レンズ１０と、ズーム鏡体１３に備えられたアフォーカルズーム系３１Ｒと、双眼鏡筒１９に備えられた結像レンズ３４Ｒおよび接眼レンズ３７Ｒと、開口絞り４０Ｒとを備えている。
【００１３】
照明光学系２５は光源側から順にファイバ光源（以下、光源と略記する。）４３と、コレクタレンズ４６と、視野絞り５２と、フィールドレンズ５５とを備えている。コレクタレンズ４６とフィールドレンズ５５とは平行系を構成している。光源４３と観察光学系２８Ｌの開口絞り４０Ｌとは共役の位置になっている。また、照明光学系２５の視野絞り５２と標本４の観察面とは共役の位置になっている。照明光学系２５の後段には光路分割装置１６が配置されている。光路分割装置１６は双眼鏡筒１９とズーム鏡体１３との間に配置されている。光路分割装置１６には光源４３側から順に左の光路分割素子５８Ｌと右の光路分割素子５８Ｒとが備えられている。
【００１４】
左の観察光学系２８Ｌにはアフォーカルズーム系３１Ｌと結像レンズ３４Ｌの間から光路分割素子５８Ｌによって照明光が導入されている。右の観察光学系２８Ｒも同様に、アフォーカルズーム系３１Ｒと結像レンズ３４Ｒの間から光路分割素子５８Ｒによって照明光が導入されている。第１実施形態では、光路分割素子５８Ｌ、５８Ｒはハーフミラーを用いている（以下、光路分割素子をハーフミラーと称す。）。２つのハーフミラー５８Ｌおよび５８Ｒは同一の光透過率を有しており、光の透過と反射との割合が１：１のものを用いている。
【００１５】
図１に示すように、照明光学系２５の光軸ＳＬと、左の観察光学系２８Ｌの光軸ＩＬおよび右の観察光学系２８Ｒの光軸ＩＲとは図１の紙面上にある。つまり、これら３つの光軸ＳＬ、ＩＬおよびＩＲは全て同一の平面上にある。そして照明光は観察光学系２８Ｌ、２８Ｒの一方の光軸側（第１実施形態においては左の光軸ＩＬ側）から顕微鏡１内に導入されている。以下、図１を参照して光源４３から出射された照明光の進行および進行に伴う光量の変化について説明する。
【００１６】
光源４３から出射された照明光は左の観察光学系２８Ｌの光軸ＩＬおよび右の観察光学系２８Ｒの光軸ＩＲを含む平面上を照明光学系２５に導かれて光軸ＩＬ、ＩＲに向かって直進する。そしてコレクタレンズ４６とフィールドレンズ５５とを透過して光路分割装置１６内に導かれ、光軸ＩＬと交わる。照明光の光軸ＳＬが光軸ＩＬと交わる位置には左のハーフミラー５８Ｌが配置されている。ハーフミラー５８Ｌにより光源４３から出射された光の１／２が反射されて標本４に向かう。つまり左のハーフミラー５８Ｌにより反射されて標本４に向かう光量は、光源４３から照射された照明光の光量全体の１／２である。そして残りの１／２の光はハーフミラー５８Ｌを光軸ＳＬに沿って透過して右の光軸ＩＲに向かって直進し、光軸ＩＲと交わる。照明光の光軸ＳＬと光軸ＩＲとが交わる位置には右のハーフミラー５８Ｒが配置されている。ハーフミラー５８Ｒにより、左のハーフミラー５８Ｌを透過した光の１／２が反射されて標本４に向かう。つまり右のハーフミラー５８Ｒにより反射されて標本４に向かう光量は、光源４３から照射された照明光の光量全体の１／４である。そして左のハーフミラー５８Ｌを光軸ＳＬに沿って透過した光の１／２、つまり全体の光量の１／４が右のハーフミラー５８Ｒを光軸ＳＬに沿って透過する。右のハーフミラー５８Ｒを光軸ＳＬに沿って透過した光は減光部材６１で吸収され、装置内で迷光になることを防いでいる。
【００１７】
このように左の観察光学系２８Ｌには光源４３から照射された照明光の光量全体の１／２が入射し、右の観察光学系２８Ｒには光量全体の１／４が入射するので、左の観察光学系２８Ｌと右の観察光学系２８Ｒでの照明光の明るさには２倍の差が生じることとなる。
【００１８】
右のハーフミラー５８Ｒにより反射されて標本４へ向かった光は観察光学系２８Ｒに導かれて標本４に達する。標本４は光の散乱が少ない鏡面サンプルなので、標本４に達した光は標本４で反射し、反対側の左の観察光学系２８Ｌに入射する。そして対物レンズ１０、アフォーカルズーム系３１Ｌを介してハーフミラー５８Ｌを光軸ＩＬに沿って透過する。ハーフミラー５８Ｌの透過率は１／２であるため、ここでさらに減光され、ハーフミラー５８Ｌを光軸ＩＬに沿って透過する光は、光源から照射された照明光の１／８となる。ハーフミラー５８Ｌを光軸ＩＬに沿って透過した光は結像レンズ３４Ｌおよび接眼レンズ３７Ｌを介して像として観察される。
【００１９】
一方、左のハーフミラー５８Ｌにより反射されて標本４へ向かった光は観察光学系２８Ｌに導かれて標本４に達する。標本４に達した光は標本４で反射し、右側の観察光学系２８Ｒに入射する。そして対物レンズ１０、アフォーカルズーム系３１Ｒを介してハーフミラー５８Ｒを光軸ＩＲに沿って透過する。ハーフミラー５８Ｒの透過率は１／２であるため、ここでさらに減光され、ハーフミラー５８Ｒを光軸ＩＲに沿って透過する光は、光源４３から照射された照明光の１／４となる。
【００２０】
右のハーフミラー５８Ｒの結像レンズ３４Ｒ側には減光フィルタ６４が配置されている。第１実施形態における減光フィルタ６４の光透過率は１／２である。ハーフミラー５８Ｒを光軸ＩＲに沿って透過した光は減光フィルタ６４を透過する。したがって減光フィルタ６４を透過する光は、光源から照射された照明光の１／８となる。こうして、標本４で反射して右のハーフミラー５８Ｒおよび減光フィルタ６４を光軸ＩＲに沿って透過した光量と、標本４で反射して左のハーフミラー５８Ｌを光軸ＩＬに沿って透過した光量とは等しくなる。減光フィルタ６４を透過した光は結像レンズ３４Ｒおよび接眼レンズ３７Ｒを介して像として観察される。
【００２１】
第１実施形態に係る顕微鏡１では、図１に示すように、ハーフミラー５８Ｌ、５８Ｒと減光フィルタ６４と減光部材６１とが１つのユニットとしてキューブ６７に備えられ、光路分割装置１６を構成している。第１実施形態においては、キューブ６７を含む複数のキューブ（キューブ６７以外のキューブは図示省略）がターレット（図示省略）に取付けられている。他のキューブにはキューブ６７とは異なる構成の光学部材、例えば光透過率が異なる減光フィルタ等、が備えられている。キューブ６７および他のキューブはターレットを回転操作することにより観察光学系２８Ｌ、２８Ｒに対して挿脱可能になっている。ターレットの回転軸Ｔは光軸ＩＬおよびＩＲを含む平面上で、キューブ６７の光源側とは反対側の側面近傍に位置している（図１参照）。
【００２２】
なお、キューブ６７はターレット方式ではなくスライダ方式で観察光学系２８Ｌ、２８Ｒに挿脱できるようにしても良い。この場合、スライダは光軸ＩＬおよびＩＲを含む平面に対して略直角に交わる方向（図１の紙面に対して手前または奥方向）に移動させる。
【００２３】
このような構成なので、第１実施形態に係る顕微鏡１は１つの光源４３と１つの照明光学系２５により２つの観察光学系２８Ｌ、２８Ｒでそれぞれ観察される像が同じように見える、つまり観察像の明るさの差がないようにすることができる。その結果、観察者は違和感なく立体視観察をすることができる。また、他の光学素子を備えたキューブとの切替えも容易である。また、光源４３および照明光学系２５が１つずつであるため装置の大型化を抑え、空間占有率およびコストにおいても有利である。
【００２４】
なお、第１実施形態における減光フィルタ６４の光透過率は、標本が鏡面サンプルである場合の戻り光の光量に基づいて決定されているが、光透過率を変更できるようにしても良い。そうすると、標本の光の散乱状態によって異なる観察光学系２８Ｌ、２８Ｒへの戻り光の光量を、光透過率を調節することにより２つの観察光学系２８Ｌ、２８Ｒで観察される像の明るさが同じになるようにすることができる。また、カメラで観察像を撮影する場合、当該減光フィルタ６４が備えられた方の観察光学系にカメラを設置すれば、様々な明るさの状態での標本を撮影することができる。
【００２５】
（第２実施形態）
次に本発明の第２実施形態について説明する。第２実施形態については、第１実施形態と同様の構成については同じ符号を用いて説明する。
【００２６】
図２は第２実施形態に係る顕微鏡１００の全体の構成を示す模式図である。第２実施形態に係る顕微鏡１００は、光路分割装置１６の構成が第１実施形態と異なる。他の構成、すなわち照明光学系２５、観察光学系２８Ｌ、２８Ｒ、ターレット（図示省略）等は第１実施形態と同様である。
【００２７】
図２に示すように、第２実施形態においては、照明光学系２５の光軸ＳＬと左の観察光学系２８Ｌの光軸ＩＬとが交わる位置に左のハーフミラー７３Ｌが配置され、光軸ＳＬと右の観察光学系２８Ｒの光軸ＩＲとが交わる位置に右のハーフミラー７３Ｒが配置されている。そして左のハーフミラー７３Ｌの結像レンズ３４Ｌ側に減光フィルタ７６が配置されている。これらハーフミラー７３Ｌ、７３Ｒ、減光フィルタ７６およびハーフミラー７３Ｒを透過した光を吸収する減光部材６１がキューブ７０に備えられ、光路分割装置１６を形成している。
【００２８】
光源４３から出射された照明光は左の観察光学系２８Ｌの光軸ＩＬおよび右の観察光学系２８Ｒの光軸ＩＲを含む平面上を照明光学系２５に導かれて光軸ＩＬ、ＩＲに向かって直進する。そして光路分割装置１６に導かれ、まず光軸ＩＬと交差し、その後光軸ＩＲと交差する。
【００２９】
第２実施形態においては左のハーフミラー７３Ｌの光の透過と反射との割合は２：１である。また、右のハーフミラー７３Ｒの光の透過と反射との割合は１：１である。このように第２実施形態ではハーフミラー７３Ｌ、７３Ｒの光透過率が左右で異なるものとなっている。このようにすることにより、左右の観察光学系２８Ｌ、２８Ｒに導かれる照明光の光量が同じになるようにしている。
【００３０】
ハーフミラー７３Ｌにより光源４３から出射された光の１／３が反射されて標本４に向かう。つまりのハーフミラー７３Ｌにより反射されて標本４に向かう光量は、光源４３から出射された照明光の光量全体の１／３である。そして残りの２／３の光はハーフミラー７３Ｌを照明光学系２５の光軸ＳＬに沿って透過して右の光軸ＩＲに向かって直進し、光軸ＩＲと交わる。そしてハーフミラー７３Ｒにより、左のハーフミラー７３Ｌを光軸ＳＬに沿って透過した光の１／２が反射されて標本４に向かう。つまり右のハーフミラー７３Ｒにより反射されて標本４に向かう光量は光源４３から出射された照明光の光量全体の１／３である。そして左のハーフミラー７３Ｌを透過した光の残りの１／２、つまり光源４３から照射された照明光の光量全体の１／３が右のハーフミラー７３Ｒを光軸ＳＬに沿って透過する。右のハーフミラー７３Ｒを透過した光は減光部材６１で吸収され、装置内で迷光になることを防いでいる。
【００３１】
このような構成なので、観察光学系２８Ｌ、２８Ｒにはいずれも光源４３からの光量全体の１／３の光量が導かれ、標本４へ向かうこととなる。つまり第２実施形態においては左右の観察光学系２８Ｌ、２８Ｒで照明強度の差がないようにすることができる。
【００３２】
左のハーフミラー７３Ｌにより反射されて標本４へ向かった光は左の観察光学系２８Ｌに導かれて標本４に達する。標本４に達した光は標本４で反射し、右側の観察光学系２８Ｒに入射する。そして対物レンズ１０、アフォーカルズーム系３１Ｒを介してハーフミラー７３Ｒを光軸ＩＲに沿って透過する。ここでハーフミラー７３Ｒを光軸ＩＲに沿って透過する光は、光源４３から出射された照明光の１／６となる。ハーフミラー７３Ｒを光軸ＩＲに沿って透過した光は結像レンズ３４Ｒ、接眼レンズ３７Ｒを介して像として観察される。
【００３３】
一方、右のハーフミラー７３Ｒにより反射されて標本４へ向かった照明光は観察光学系２８Ｒに導かれて標本４に達する。標本４に達した光は標本４で反射し、反対側の左の観察光学系２８Ｌに入射する。そして対物レンズ１０、アフォーカルズーム系３１Ｌを介してハーフミラー７３Ｌを光軸ＩＬに沿って透過する。ここでハーフミラー７３Ｌを光軸ＩＬに沿って透過する光は、光源４３から出射されたの照明光の２／９となる。
【００３４】
第２実施形態においては、上述したように左のハーフミラー７３Ｌの結像レンズ３４Ｌ側に減光フィルタ７６が配置されている。減光フィルタ７６を配置することで、左右のハーフミラー７３Ｌ、７３Ｒの光透過率の違いにより左右の観察像の明るさが異ならないようにしている。第２実施形態における減光フィルタ７６の光透過率は、ハーフミラー７３Ｌ、７３Ｒの光透過率の比となり、３／４である。したがって減光フィルタ７６を透過する光は、光源４３から出射されたの照明光の１／６となる。こうして、標本４で反射して左のハーフミラー７３Ｌおよび減光フィルタ７６を光軸ＩＬに沿って透過した光と、標本４で反射して右のハーフミラー７３Ｒを光軸ＩＲに沿って透過した光とは等しい光量となる。減光フィルタ７６を透過した光は結像レンズ３４Ｌ、接眼レンズ３７Ｌを介して像として観察される。
【００３５】
このように第２実施形態においては、１つの光源４３および１つの照明光学系２５を用いて２つの観察光学系２８Ｌ、２８Ｒで照明光の光量を同じ、つまり照明強度の差がなく、さらに観察像の明るさの差がないようにすることができる。その結果、第１実施形態と同様に、観察者は違和感なく立体視観察をすることができる。
【００３６】
なお、第２実施形態における減光フィルタ７６の光透過率についても、標本が鏡面サンプルであった場合の戻り光の光量に基づいて決定されているが、第１実施形態と同様に光透過率を変更できるようにしても良い。
【００３７】
次に第２実施形態において、観察光学系２８Ｌ、２８Ｒに挿入するキューブ７０を他のキューブ７９に交換した場合ついて説明する。
【００３８】
図３は、第２実施形態に係る顕微鏡１００において、ターレット（図示省略）を回転操作し、キューブ７０を他のキューブ７９に切替えた状態の光学系の構成を示す模式図である。当該他のキューブ７９は蛍光観察用の光学部材を備えたものである。
【００３９】
図３に示すように、キューブ７９には照明光学系２５の光軸ＳＬ上でフィールドレンズ５５と左のハーフミラー８５Ｌとの間に励起フィルタ８２が配置されている。このようにキューブ７９の光源側には励起フィルタ８２が配置されているので、キューブ７９には励起フィルタ８２により選択された波長の光が入射される。
【００４０】
キューブ７９には照明光学系２５の光軸ＳＬと左の光軸ＩＬおよび右の光軸ＩＲと交わる位置にそれぞれハーフミラー８５Ｌ、８５Ｒが設けられている。ハーフミラー８５Ｌ、８５Ｒによって、左右の観察光学系２８Ｌ、２８Ｒには励起フィルタ８２で励起された光が入射される。２つのハーフミラー８５Ｌおよび８５Ｒは同一の光透過率を有しており、光の透過と反射との割合が１：１のものを用いている。したがって左の観察光学系２８Ｌには励起光の１／２が入射し、右の観察光学系２８Ｒには励起光の１／４が入射する。このように、キューブ７９に切替えた場合においては左の観察光学系２８Ｌと右の観察光学系２８Ｒでの照明光の明るさは２倍の差となる。左右の観察光学系２８Ｌと２８Ｒとで明るさに差はあるが、標本４に２方向から励起光を照射することとなるので標本４が立体的なものであってもムラなく励起することができる。ハーフミラー８５Ｒを光軸ＳＬに沿って透過した光は減光部材６１によって吸収される。また、左のハーフミラー８５Ｌの結像レンズ３４Ｌ側にはバリアフィルタ８８Ｌが、右のハーフミラー８５Ｒの結像レンズ３４Ｒ側にはバリアフィルタ８８Ｒがそれぞれ配置されている。
【００４１】
励起光の照射により発せられた標本４からの蛍光は、対物レンズ１０を介してアフォーカルズーム系３１Ｌ、３１Ｒのそれぞれに入射する。アフォーカルズーム系３１Ｌを透過した蛍光はハーフミラー８５Ｌを透過した後バリアフィルタ８８Ｌにより波長選択され、結像レンズ３４Ｌおよび接眼レンズ３７Ｌを介して観察者に観察される。同様に、アフォーカルズーム系３１Ｒを透過した蛍光はハーフミラー８５Ｒを透過した後バリアフィルタ８８Ｒにより励起波長が除去され、結像レンズ３４Ｒおよび接眼レンズ３７Ｒを介して観察者に観察される。
【００４２】
このように、蛍光観察用のキューブにおいては、左右の観察光学系ＳＬ、ＳＲに入射される照明光量はそれぞれ異なるものとなっている。しかし、観察する蛍光に関しては、左右のハーフミラー８５Ｌ、８５Ｒの透過率が同じであるため、観察者が左右の眼で感じる明るさの差は生じない。したがって左右の観察光学系２８Ｌ、２８Ｒで照明光の明るさが異なっても何ら違和感なく観察することができる。
【００４３】
このように、第２実施形態においては、別途蛍光観察用の照明系を設けることなく、キューブを交換するだけで鏡面サンプルを観察するときの照明光学系２５をそのまま用いて蛍光観察を行うことができる。また、光源４３および照明光学系２５が１つずつであるため装置の大型化を抑え、空間占有率およびコストにおいても有利である。
【００４４】
なお、蛍光観察用のキューブ７９において、右のハーフミラー８５Ｌに代えてダイクロイックミラーを配置しても良い。この場合、当該ダイクロイックミラーの結像レンズ３４側にさらに光透過率１／２の減光フィルタを設ければ、左右の観察像の明るさが同じにすることができる。
【００４５】
以上第１および第２実施形態について説明したが、第１実施形態で用いたキューブ６７と、第２実施形態で用いたキューブ７０と、蛍光観察用のキューブ７９とを同じターレットまたはスライダに備えても良い。そうすれば、１台の顕微鏡でより多様な観察方法に対応することが可能となる。
【００４６】
また、ハーフミラーおよび減光部材の光透過率は上記実施形態における光透過率に限定されるものではない。観察される像の明るさが同じになれば、その組み合わせは幾通りもある。
【００４７】
このように、本発明の構成は本実施形態に限定されるものではなく、適宜変更が可能である。
【符号の説明】
【００４８】
１、１００  実体顕微鏡
４  標本
７  ステージ
１０  対物レンズ
１３  ズーム鏡体
１６  光路分割装置
１９  双眼鏡筒
２２  ファイバライトガイド
２５  照明光学系
２８Ｌ、２８Ｒ  観察光学系
３１Ｌ、３１Ｒ  アフォーカルズーム系
３４Ｌ、３４Ｒ  結像レンズ
３７Ｌ、３７Ｒ  接眼レンズ
４０Ｌ、４０Ｒ  開口絞り
４３  ファイバ光源
４６  コレクタレンズ
５２  視野絞り
５５  フィールドレンズ
５８Ｌ、５８Ｒ、７３Ｌ、７３Ｒ、８５Ｌ、８５Ｒ  光路分割素子（ハーフミラー）
６１  減光部材
６４、７６  減光フィルタ
６７、７０、７９  キューブ
８２  励起フィルタ
８８Ｌ、８８Ｒ  バリアフィルタ
【図１】
2011007871.tif 000003
【図２】
2011007871.tif 000004
【図３】
2011007871.tif 000005